(57)【特許請求の範囲】
【請求項１】
それぞれ平行に相並んで配置されたボード（２）から形成された少なくとも２つの層（３，４）から成る木製のパネルエレメント（１）であって、
第１層（３）のボード（２）が第２層（４）のボード（２）に対して平行に向けられており、第１層（３）のボード（２）と第２層（４）のボード（２）とが鳩尾形継手によって互いに結合されており、鳩尾形継手が、ボード（２）の長手方向延在長さの方向に連続する、鳩尾形の切り欠き（１１）と突起（１２）とから成る、ボード（２）内に成形された列によって形成されており、切り欠き（１１）及び突起（１２）はボード（２）の幅（１０）の方向に延びている形式のパネルエレメント（１）において、
前記１層（３）のボード（２）と前記第２層（４）のボード（２）とが前記幅（１０）の方向に互いに位置ずれし且つ互いにオーバーラップして配置されており、前記鳩尾形継手の切り欠き（１１）がボード縁部（１３）からボード中央（１４）へ向かって楔状にテーパした状態で形成されていることを特徴とする、パネルエレメント（１）。
【請求項２】
前記鳩尾形継手の切り欠き（１１）が両側で、半楔角（１５）の値が０．５°〜１０°の傾斜位置を有していることを特徴とする、請求項１に記載のパネルエレメント（１）。
【請求項３】
前記第１層（３）のボード（２）と前記第２層（４）のボード（２）とが、前記ボード幅（１０）の１０％以上の値のオーバーラップ幅（９）にわたってオーバーラップしていることを特徴とする、請求項１又は２に記載のパネルエレメント（１）。
【請求項４】
前記切り欠き（１１）の寸法に対する前記突起（１２）の寸法が、それぞれ１つの層（３，４，１８）のボード（２）がギャップなしに互いに接触するように選択されていることを特徴とする、請求項１〜３の何れか一項に記載のパネルエレメント（１）。
【請求項５】
前記オーバーラップ幅（９）の値が、前記ボードの幅（１０）のほぼ半分に相当し、そして１つの層（３，４，１８）内に位置する互いに隣接するボード（２）間には、実矧ぎが形成されていることを特徴とする、請求項１〜４の何れか一項に記載のパネルエレメント（１）。
【請求項６】
前記ボード（２）の前記突起（１２）及び前記切り欠き（１１）が、前記ボード（２）の幅（１０）に対して垂直な中央平面（１７）に関して対称的であることを特徴とする、請求項１〜５の何れか一項に記載のパネルエレメント（１）。
【請求項７】
前記切り欠き（１１）の寸法は、前記ボード（２）の縁部（１３）の内法幅（２３）が、前記突起（１２）の、前記中央平面（１７）の領域内の幅（２４）と同じ大きさになるように設定されていることを特徴とする、請求項１〜６の何れか一項に記載のパネルエレメント（１）。
【請求項８】
前記ボード（２）の長手方向軸線（５）に関する第１端部領域内に、ビーム（４１）が配置されており、該ビームが前記ボード（２）の長手方向軸線（５）に対して垂直に向けられていることを特徴とする、請求項１〜７の何れか一項に記載のパネルエレメント（１）。
【請求項９】
前記ビーム（４１）が、前記第１層（３）のボード（２）と第３層（１８）のボード（２）との間に位置するように配置されていることを特徴とする、請求項１〜８の何れか一項に記載のパネルエレメント（１）。
【請求項１０】
前記ビーム（４１）の厚さ（４２）の値が、前記ボード（２）の厚さ（２７）の値と同じであることを特徴とする、請求項１〜９の何れか一項に記載のパネルエレメント（１）。
【請求項１１】
両端部領域から所定の距離を置いて位置する領域内に、前記第１端部領域内に配置されたビーム（４１）に対して平行に向けられたビーム（４９）が、層（３，４，１８）の間に挿入されていることを特徴とする、請求項１〜１０の何れか一項に記載のパネルエレメント（１）。
【請求項１２】
前記ボード（２）と前記ビーム（４１）とが、該ボード（２）と該ビーム（４１）とを貫通するピン（４７）によって互いに固定されていることを特徴とする、請求項１〜１１の何れか一項に記載のパネルエレメント（１）。
【請求項１３】
前記ボード（２）の突起（１２）内に、前記パネルエレメント（１）内に中空室を形成するための凹部が成形されていることを特徴とする、請求項１〜１２の何れか一項に記載のパネルエレメント（１）。
【請求項１４】
前記ボード（２）の突起（１２）内に溝（４８）が成形されていることを特徴とする、請求項１〜１３の何れか一項に記載のパネルエレメント（１）。
【請求項１５】
互いに平行に接触して配置された少なくとも２つのボード（８１，８２，８３）から成る木製のビーム（８０）であって、第１ボード（８１）と第２ボード（８２）とが鳩尾形継手によって互いに結合されており、該鳩尾形継手が、ボード（８１，８２，８３）の長手方向延在長さの方向に連続する、鳩尾形の切り欠き（８４）と突起（８５）とから成る、ボード（８１，８２，８３）内に成形された列によって形成されており、前記切り欠き（８４）及び前記突起（８５）はボード（８１，８２，８３）の、長手方向延在長さに対して垂直の幅（８６）の方向に延びている形式のものにおいて、
前記鳩尾形継手の切り欠き（８４）が第１ボード縁部（８７）から第２ボード縁部（８８）へ向かって楔状に延びた状態で形成されている
ことを特徴とする、ビーム（８０）。
【発明の詳細な説明】
【技術分野】
【０００１】
本発明は、請求項１及び１５の上位概念における特徴に相応する木製のパネルエレメント、もしくは木製のビームに関する。
【背景技術】
【０００２】
材料として木材を使用する数多くの用途のうちの１つとして、例えばログハウス建築様式のような伝統的建築形態において建造物を建築する際に、建築材料として木材を使用することが挙げられる。しかしながら建築材料としての木材の需要が高まることにより、木材はプレハブ住宅においても、また建造物の新築時にもますます重要になってきている。特にある程度の規模で、プレハブ式に製作されたより大型の壁エレメントが使用されている。このような木製のパネル状エレメントは、壁エレメントとして使用する他に、床及び天井の製造のためにも使用することができる。木製の壁エレメントの他に、グルーラム（Leimbinder）とも呼ばれる集成木材から成る支持材も重要である。このような支持材は、柱として、又は屋根組のための支持構造部分として使用することができる。
【０００３】
健康意識が多くの人々の中で高まっており、そしてこれにより住環境の改善が期待されるため、このようなパネルエレメントの製造時に、添加剤、例えば木材部分を結合するための接着剤を省くことがますます注目されている。
【０００４】
従来技術に基づいて、特許文献１及び２に記載されているように、建造物壁エレメントが既に公知である。特許文献３に記載された、木製の積層結合パネルの形態を成す建造物壁エレメントは、それぞれ層状に相並んで配置された木材から成る少なくとも２つの層を備えている。両方の層は互いに対向する溝と、溝内に挿入される鳩尾レールとによって互いに結合されている。他方において、特許文献４には、平行に向けられた複数の木材を結合して１つのエレメントに形成した構造部分が記載されている。木材を互いに結合するために、互いに向き合う長手側に隆起部及び凹部が、長手方向延在長さに沿って成形されている。隆起部もしくは凹部の断面は鳩尾形継手の形式で形成されており、木材もしくは木材部分はこれに相応して形状結合的に接合されている。
【先行技術文献】
【特許文献】
【０００５】
【特許文献１】欧州特許第１７３４２００号明細書
【特許文献２】欧州特許第２０６０６９４号明細書
【特許文献３】欧州特許第１７３４２００号明細書
【特許文献４】ベルギー国特許第５０３３５５号明細書
【発明の概要】
【発明が解決しようとする課題】
【０００６】
本発明の課題は、建造物を建築するときに構造形成部分として使用することができる木製のパネルエレメントもしくは木製のビームを提供することである。
【課題を解決するための手段】
【０００７】
本発明の課題は、それぞれ平行に相並んで配置されたボードから形成された少なくとも２つの層から成る木製のパネルエレメントであって、第１層のボードが第２層のボードに対して平行に向けられており、第１層のボードと第２層のボードとが鳩尾形継手（蟻継ぎ）によって互いに結合されており、鳩尾形継手が、ボードの長手方向延在長さの方向に連続する、鳩尾形の切り欠きと突起とから成る、ボード内に成形された列によって形成されている、パネルエレメントによって解決される。切り欠き及び突起はボードの幅の方向に延びており、第１層のボードと第２層のボードとが前記幅の方向に互いに位置ずれし且つ互いにオーバーラップして配置されており、鳩尾形継手の切り欠きがボード縁部からボード中央へ向かって楔状にテーパした状態で形成されている。このことの利点は、パネルエレメントの製造時に、ボードをその接触面で密に相並ぶ状態で接合できることである。またその結果、こうして製造されたパネルエレメントの高い断熱作用が達成される。さらに、このように構成されたパネルエレメントは高い内部剛性及び形状安定性をも有する。
【発明の効果】
【０００８】
鳩尾形継手の切り欠きが両側で、半楔角（halber Keilwinkel）の値が０．５°〜１０°、好ましくは３°〜１０°の傾斜位置を有していることにより、ボードを組み立ててパネルエレメントにすることが容易になるとともに、高い内部強度及び安定性が得られる。
【０００９】
第１層のボードと第２層のボードとが、前記ボード幅の１０％以上の値のオーバーラップ幅にわたってオーバーラップしている、パネルエレメントの構成の利点は、ボードによって形成されたパネルエレメント構造の形状安定性が高められることである。
【００１０】
パネルエレメントの別の構成によれば、切り欠きの寸法に対する突起の寸法が、それぞれ１つの層のボードがギャップなしに互いに接触するように選択されている。このことの利点は、パネルエレメントの有効厚さが相応に大きくなることにより、パネルエレメントの断熱作用が高められることである。
【００１１】
パネルエレメントにおいてオーバーラップ幅の値が、ボードの幅のほぼ半分に相当し、そして１つの層内に位置する互いに隣接するボード間には、実矧ぎ（Nut-Spund-Verbindung）が形成されていることにより、パネルエレメントの絶縁もしくは断熱作用が改善されるとともに、実矧ぎによって付加的な摩擦力結合作用が得られることによってボード間の結合が強化される。
【００１２】
ボードの突起及び切り欠きが、ボードの幅に対して垂直な中央平面に関して対称的である、パネルエレメントの別の構成の利点は、これにより統一的に形成されたボードからシステムを製造し得ることである。同じ基本形状を有する統一的に形成されたボードはモジュール状に組み立ててパネルエレメントにすることができる。
【００１３】
さらに、切り欠きの寸法は、ボードの縁部の内法幅が、突起の、中央平面の領域内の幅と同じ大きさになるように設定されていてよい。これにより、ボードが互いに密に接触し、ひいては空間を埋めるようにボードを配置できるので有利である。
【００１４】
パネルエレメントの実施変更形によれば、ボードの長手方向軸線に関する第１端部領域内に、ビームが配置されており、ビームがボードに対して垂直に向けられていてよい。これにより、パネルエレメントの形状剛性が高められるので有利である。
【００１５】
さらにビームが、ボードの第１層とボードの第３層との間に位置するように配置されていること、もしくはビームの厚さの値が、ボードの厚さの値と同じであることにより、ボードの端部領域の標準化された形態が可能になる。
【００１６】
パネルエレメントの別の構成によれば、両端部領域から所定の距離を置いて位置する領域内に、第１端部領域内に配置されたビームに対して平行に向けられたビームが、層の間に挿入されてもよい。これにより、そしてボードとビームとが、ボードとビームとを貫通するピンによって互いに固定されるという手段によって、パネルエレメントのさらにより高い形状安定性が得られる。
【００１７】
ボードの突起内に、パネルエレメント内に中空室を形成するための凹部が成形されていることによって、パネルエレメント内に空気を充填された中空室を形成することができる。中空室は、パネルエレメントの断熱特性を高めるので有利である。
【００１８】
さらに別の構成によれば、突起内に溝が成形されている。このことは、中空室を形成するための凹部をより容易に製造するのを可能にする。
【００１９】
パネルエレメントの実施変更形によれば、ボードから成る層のうちの１つに付加的な木製被覆体が配置されており、木製被覆体は、平行に相並ぶボードから成る１つの層を含む。このことの利点は、パネル表面の形態可能性を選択する際により高い多様性があることである。
【００２０】
本発明をよりよく理解するために、以下の図面により本発明を詳述する。
【００２１】
図面は著しく概略的に簡略化して示されている。
【図面の簡単な説明】
【００２２】
【図１】複数のボードもしくは木材部分から成るパネルエレメントを示す図である。
【図２】３つの層内にボードが配置されたパネルエレメントを示す図である。
【図３】補償接合部を有するボードから成るパネルエレメントを示す図である。
【図４】図３に示されたパネルエレメント内に使用するためのビームを示す図である。
【図５】全部で５つのボード層を備えたパネルエレメントの別の実施例を示す図である。
【図６】図５に示されたパネルエレメントの実施変更形を示す図である。
【図７】図６に示されたパネルエレメントの実施変更形を示す図である。
【図８】図６に示されたパネルエレメントを、横方向にビームが位置する状態で示す図である。
【図９】付加的な木製被覆体を備えたパネルエレメントの別の実施例を示す図である。
【図１０】図８に示されたパネルエレメントを、別の木製被覆体を備えた状態で示す図である。
【図１１】二層の木製被覆体を備えたパネルエレメントを示す図である。
【図１２】複数の層から組み立てられたビームを示す図である。
【図１３】図１２に示されたビームのボードを、接合されていない状態で示す図である。
【発明を実施するための形態】
【００２３】
最初に念のため述べておくが、種々異なるものとして記載される実施態様において、同一部分には同一参照符号もしくは同一構成部分符号を付す。説明全体に含まれる開示内容は、同一参照符号もしくは同一構成部分符号を有する同一部分に相応して転用することができる。また、説明において選択された位置に関する記述、例えば上、下、側方などは、直接に説明され図示された図面に関するものであり、そして位置が変化したときには、相応して新しい位置に転用することができる。さらに、図示され説明された種々異なる実施態様の個々の特徴又は特徴の組み合わせも、それ自体独立した、本発明の、又は本発明による解決手段であり得る。
【００２４】
当該記述における値範囲に関する全ての数値は、これらの任意の、及び全ての部分範囲を含むことを意味する。例えば、数値１〜１０は、下限値１及び上限値１０から出発する全ての部分範囲が一緒に含まれる、すなわち、全ての部分領域が下限値１以上で始まり、そして上限値１０以下で終わる、例えば１〜１．７、又は３．２〜８．１、又は５．５〜１０であることを意味する。
【００２５】
図１はパネルエレメント１を示している。パネルエレメント１は、複数のボード２もしくは木材部分によって形成されている。パネルエレメント１はこの実施例によれば、それぞれ平行に相並んで配置されたボード２から成る第１層３と、やはり平行に相並んで配置されたボード２を備えた第２層４とを含んでいる。さらに第１層３の第１ボード６の長手方向延在長さもしくは長手方向軸線５と、第２層４のボード８の長手方向延在長さもしくは長手方向軸線７とは互いに平行に向けられている。そして最後に、第２層４のボード２は第１層３のボード２に対して側方に位置ずれして配置されている。従って、第１層のボード６及び第２層４のボード８、そしてそれぞれ別のボード２も、それぞれオーバーラップ幅９を有している。オーバーラップ幅９の値は、図示の実施例ではボード２の幅１０のほぼ１／３に相当する。このようなオーバーラップ幅９のために、ボード２の幅１０の１０％以上である値を選択すると有利である。
【００２６】
互いに隣接するボード２，６，８間をオーバーラップ幅９の領域内で形状結合することにより、個々のボード２を結合して全体的に形状安定なパネルエレメント１を形成することができる。このような結合は鳩尾形継手の形式に従って形成されると有利である。このような結合の機能を図１の右下に示された、両ボード６及び８を有する領域に基づいて説明する。ボード６は第２層４に向いた側に、切り欠き１１の列を有している。これらの切り欠き１１は、ボード６の長手方向軸線５の方向に連続している。このような切り欠き１１はボード６の長手方向軸線５もしくは長手方向延在長さに対してほぼ垂直に延びており、そしてボード６の全幅１０にわたって縁部から縁部へ延びている。このような切り欠き１１のプロファイルは鳩尾形に形成されて、長手方向延在長さもしくは長手方向軸線５全体にわたって鳩尾形の切り欠き１１と突起１２とから成る列が生じるようになっている。
【００２７】
他方において第２（上側）層４のボード８の場合、このボード８の、第１（下側）層３に向いた側が、下側層３のボード６の切り欠き１１及び突起１２に対して相補的な形態を有する。従って、互いに結合された状態では、ボード６の突起１２はボード８の切り欠き１１内に嵌合し、またその逆も同じである。
【００２８】
従って、第１ボード６及び第２ボード８の互いに対応する突起１２及び切り欠き１１を互いに整合するように配向し、そして両ボード６，８を幅１０の方向に互いに接近するように動かし、そして最後に、切り欠き１１と突起１２との相互の嵌合によりこれらを互いに結合することによって、ボード２，６，８を組み立ててパネルエレメント１を形成することができる。
【００２９】
このような実施例によればさらに、切り欠き１１の断面は全幅１０にわたって一定ではなく、可変である。しかも切り欠き１１はボード縁部１３からボード中央１４へ向かって楔状にテーパした状態で形成されている。従って切り欠き１１は両側で、所定の半楔角を成す傾斜位置を有している。ボード２の突起１２もしくは切り欠き１１はさらに、幅１０に対して垂直な、ボード中央１４を含む中央平面１７に関して対称的である。半楔角１５の値は１．５°〜１０°、好ましくは３°〜１０°から選択されると有利である。
【００３０】
図１に示されたパネルエレメント１の実施例の場合、ボード８における切り欠き１１の寸法に対するボード６における突起１２の寸法は、その層３又は４のボード２の間にギャップ１６が空いたままになるように選択されている。これは、ボード６における突起１２の、長手方向軸線５の方向に存在する広がりが、ボード８における切り欠き１１の対応する広がりよりも若干大きいという理由から言えることである。このように両ボード６及び８はボード中央１４まで完全に互いに嵌合しなくてもよい。従ってオーバーラップ幅９はボード２の幅１０の半分よりも小さい。
【００３１】
図２は３つの層内にボード２が配置されたパネルエレメント１を示している。第１層３及び第２層４の他に、この実施態様によるパネルエレメント１は、やはり互いに平行に相並んで配置されたボード２を有する第３層１８を含んでいる。第１層３のボード２と第２層４のボード２との間と同様に、第１層４のボード２と第３層１８のボード２との間にも形状結合が形成されている。このために、第２層４のボード２はここでもまた第３層１８に向いた側に、切り欠き１１と突起１２とから成る規則的な列を有している。他方において、第３層１８のボード２は第２層４に向いた側に、対応する切り欠き１１と突起１２とを有している。ボード２の幅１０に対して平行な方向に関する切り欠き１１のプロファイルは、鳩尾形継手の形式で形成されている。断面はボード中央１４に向かって楔状にテーパした輪郭を有している。この実施例によるパネルエレメント１の場合、切り欠き１１の寸法に対する突起１２の寸法は、丁度それぞれ１つの層３，４，１８のボード２がギャップなしに互いに接触するように選択されている。従って、互いに対向する層３，４，１８のボード２の間のオーバーラップ幅９は、ボード２の幅１０のほぼ半分に相当する。この実施例によるパネルエレメント１におけるボード２がギャップなしに互いに接触していることにより、パネルエレメント１は全体的に、ボード２から成るほぼ３つの層に相当する厚さ１９を有するほぼ完全に中身の詰まったボディを形成する。パネルエレメント１を建造物の建築時に壁エレメントとして使用する場合、このことの利点は、例えば図１に示された実施例によるパネルエレメント１と比較して厚さ１９がより大きいことに相応して、断熱作用がより高くなることである。図１に示された実施例の場合、ギャップ１６が存在することにより、断熱作用を発揮する有効壁厚が著しく小さくなる。
【００３２】
図３には、パネルエレメント１の更なる、そして場合によってはそれ自体独立した実施態様が示されている。ここでも先行の図１，２と同じ部分には同じ符号もしくは構成部分符号を使用する。不要の繰り返しを避けるために先行の図１，２における詳細な説明が参照される。
【００３３】
図３は、付加的にさらに補償接合部を有するボード２を備えたパネルエレメントを示している。このためにボード２の、突起１２に隣接する側面、すなわち狭い側に複数の溝２０が設けられている。第１側面の溝２０は、ボード２の対向する側面に設けられた溝２１に対して位置ずれして配置されて、１つの層３，４又は１８内で相並ぶ２つのボードを実矧ぎの形式で接合し得るようになっている。このことの利点は、鳩尾形に形成され楔状に延びる突起１２及び切り欠き１１を用いたボードの接合に関して、補償接合を利用し得ることである。このことにより、突起１２と切り欠き１１とを相応に力を加えることによって互いに押し嵌め、これにより突起１２と切り欠き１１との間に得られる静止摩擦が、パネルエレメント１の形成のためのボード２の全体的に形状結合的且つ摩擦力結合的な結合をもたらすことが可能になる。このような構成は上記以外にも、パネルエレメント１を製造する際にボード２を結合するための接着剤の使用を省くことを可能にする。
【００３４】
図４は、図３に示されたパネルエレメント１内で使用するためのボード２を２つの異なる位置で示している。第１の側（幅１０に相当する）では、長手方向軸線５に関して同じ間隔２２で鳩尾形の切り欠き１１がボード２内に成形されているので、切り欠き１１と突起１２とから成る規則的な列が設けられている。
【００３５】
突起１２及び切り欠き１１は、中央平面１７に関して対称的に、半楔角１５を有して形成されていることが好ましい。切り欠き１１の寸法は、ボード２の縁部１３の内法幅２３が、突起１２の、中央平面１７の領域内の幅２４と同じ大きさになるように設定されている。これにより、図４においてハッチングによって示唆されているような、突起１２の領域２５と切り欠き１１の領域２６とが生じる。突起１２の領域２５は、中央平面１７によって仕切られた部分体積を含む。この部分体積の外形は実質的に対称的な台形に相当する。領域２５のこのような部分体積は同時に突起１２の半部を形成している。他方において切り欠き１１の領域２６は、中央平面１７によって仕切られた、切り欠き１１の半部を含んでいる。両領域２５，２６が同じ外形を有している限り、切り欠き１１の領域２６は突起１２の領域２５に等しい。その結果、別のボード２の突起１２の領域２５を、第１ボード２の切り欠き１１の領域２６内に正確に、すなわち実質的に空間を埋めるように挿入することができる。従って、突起１２もしくは切り欠き１１の断面が鳩尾形であることにより、図３に基づいて前述した、パネルエレメント１のボード２間の形状結合が生じる。
【００３６】
ボード２の狭い側において溝２０及び２１は、溝２０間に位置する突起を実（さね：Spunde）として別のボード２の溝２１内に挿入し得るように形成されている（図３）。一方では切り欠き１１と突起１２とを有し、他方ではボード２の、突起１２と隣接する側に溝２０及び２１を有するボード２の上記構成は、パネルエレメント１のモジュール状の組み立てを可能にするので有利である。ほぼ同じ構造の基本形状を有するボード２は、積み木原理におけるようにほぼ任意の大きさのパネルエレメント１に組み立てることができる。図３に示されているように、パネルエレメント１の組み立てのためには、２種の基本形状もしくはタイプのボード２しか必要とならない。第１層３のボード２のためには、図４に示されているようなボード２が提供される。第２層４の場合のように別の層、すなわち図３によれば層１８を接合したい場合には、第２層４のボード２のために、ボード２の別の基本形状が必要となる。この基本形状は、一方の側に突起１２及び切り欠き１１を有するとともに、この第１の側と対向する広い側にも、突起１２と切り欠き１１とが同様に交互に形成された列を有している。図３に示されたパネルエレメント１の場合、さらなる層、すなわち図４に示された第４層（図示せず）によって、全部で４層を有するパネルエレメント１を製造することもできる。すなわちこのように組み立てられたパネルエレメント１は、外側に位置する全ての面でほぼ平面状に仕切られている。
【００３７】
本発明によるボード２は、直方体の外側境界を有する普通のボードから出発して製造することができる。このために、幅１０及び厚さ２７の最初は未加工のこのようなボード内に、相応の工具を用いて切り欠き１１及び溝２０，２１を成形する。このことは例えば相応の鋸もしくはフライス工具を用いて実施することができる。切り欠き１１はさらに、深さ２８の値がボード２の厚さ２７の１０％〜３０％になるように寸法設定される。
【００３８】
図５は、ボード２から成る全部で５つの層３，４，１８を有するパネルエレメント１の別の実施例を示している。このようなパネルエレメント１は少なくともボード２の長手方向延在長さもしくは長手方向軸線５に関する第１端部領域内に、ビーム４１を含んでいる。ここで注意すべきなのは、図５において（図１〜３においても）、パネルエレメント１の内部構造をより良く明らかにするために個々の層３，４，１８は部分的に不完全に示されており、もしくはビーム４１は部分的に短く示されていることである。このようなビーム４１はボード２の長手方向軸線５に対して垂直に向けられており、第１層３と第３層１８との間に位置するように配置されている。ビーム４１の厚さ４２の値は、ボード２の厚さ２７と同じである。ビーム２１の幅４３の値は、ボード２内に連続して配置され成形された切り欠き１１の間隔２２の半分に等しい。最後に、ビーム４１はその幅４３に相当する側に切り欠き４４を含んでいる。この切り欠きの深さ４５の値は、ボード２の切り欠き１１の深さ２８と同じである。ビーム４１の切り欠き４４はビーム４１の長手方向延在長さ全体にわたってプロファイル状に延びている。これらの切り欠きは、幅４３に相当するビーム４１の側も、ビーム４１の狭い側４６も、第１層３及び第３層１８の隣接するボード２と、もしくは第２層４のボード２の端面と直接に接触するように寸法設定されている。こうして、パネルエレメント１のビーム４１とボード２との間にもボード２相互間と同様に、形状結合が形成されている。
【００３９】
パネルエレメント１にビーム４１が付加的に設けられていることにより、パネルエレメント１の形状安定性がさらに高められる。乾燥、又は空気中の湿度が高い周囲環境内での湿分吸収により湿分含有量が変化する結果発生し得る、切断された木材から成るボードにおいて知られているような変形は、ビーム４１の機械抵抗によって部分的に受け止め、ひいては阻止することができる。
【００４０】
図６は、図５に示されたパネルエレメント１の実施変更形を示している。パネルエレメント１は２つのビーム４１の他に、ボード２とビーム４１とを貫通するピン４７を有している。これらのピンは、パネルエレメント１に対して横方向に配列された対応する孔内に挿入されている。ピン４７は木製ダボ又は木ねじとして形成されていてよいが、しかし他の材料、例えば金属又はプラスチックから成っていてもよい。パネルエレメント１の剛性が高められる他に、パネルエレメント１の幅１０の方向に場合によっては生じる形状変化に関して、付加的な形状安定化がピン４７によって達成される。ピン４７のためには材料として木材が使用されることが好ましい。
【００４１】
図７は、図６に示されたパネルエレメント１の実施変更形を示している。この実施例によるボード２の場合、突起１２内に溝４８が成形されている。これらの溝４８は平行に相並んで配置されており、ボード２の長手方向軸線に対して平行に延びている。溝４８は、種々の層３，４，１８の溝２間に閉じ込められた中空室を形成する。これにより、溝４８の中空室内に閉じ込められた空気は、やはりパネルエレメント１の断熱作用を高める。
【００４２】
しかし、ボード２の長手方向軸線５に対して平行に向けられた、突起１２内の溝４８とは別に、別の方向に向けられた溝、又は全く別の形状に成形された凹部が、閉じ込められた中空室をパネルエレメント１内に形成するために設けられていてもよい。しかし他方において、間に位置する中空室を形成するために、切り欠き１１の領域内でボード２の材料にさらなる凹部が設けられていることも可能である。
【００４３】
図８は図６に示されたパネルエレメント１を、横方向に位置するビーム４１とともに示している。このために、ボード２の両端部領域には、図６に関連して説明したようにビーム４１が配置されている。これらのビームは形状結合の他に、さらに付加的にピン４７によってもパネルエレメント１と相対位置において固定されている。この実施例によれば、パネルエレメント１はボード２の両端部領域内のビーム４１の他に、両端部領域から所定の距離を置いた中間領域内にもビーム４９をさらに含んでいる。これらのビーム４９はパネルエレメント１の層３，４，１８の間に挿入されている。これらのビーム４９はボード２の端部領域のビーム４１と同様に、ボード２の長手方向軸線５に対して横方向にパネルエレメント１内に組み付けられている。ビーム４９は実質的に方形断面を有しており、そしてボード２の層３，４，１８の間にこれらを挿入するために、ボード２の隣接表面に、それも実施例によれば切り欠き１１の領域内に、ビーム４９の外形に対して相補的な付加的な切り欠きが設けられている。ボード２の端部領域のビーム４９と同様に、ビーム４９も付加的にピン４７で固定されている。
【００４４】
図９は、付加的な木製被覆体５５を備えたパネルエレメント１の別の実施例を示している。このようなパネルエレメント１はその内部に、図３において記載されているような形式で、ボード２から成る３つの層３，４，１８によって形成される。ボード２は互いに形状結合されている。両方の外面には、それぞれ木製被覆体５５がボード５６のさらなる層として配置されており、やはり第１層３及び第３層１８と形状結合の形式で結合されている。このために、木製被覆体５５のボード５６は横方向に、すなわちボード２の長手方向延在長さもしくは長手方向軸線５に対して垂直に向けられて、平行に相並んで配置されている。木製被覆体５５のボード５６と、第１層３もしくは第３層１８のボード２との結合は、複数の結合エレメント５７を介在させることによって行われる。この実施例によれば、結合エレメント５７は鳩尾レール（Gratleiste）によって形成されている。これらの鳩尾レール５７はボード２の長手方向延在長さもしくは長手方向軸線５に対して平行に、ボード２内に設けられた対応する切り欠き内に挿入されている。木製被覆体５５のボード５６も同様に、対応する切り欠きもしくは溝５８を有している。これらの切り欠きもしくは溝５８によって、ボード５６は結合エレメント５７と結合することができる。既に説明したように、結合エレメント５７は鳩尾レールによって形成されている。すなわち、一方ではボード５６と結合エレメント５７との間に、そして他方では結合エレメント５７とボード２との間に、それぞれ鳩尾形継手の形式の形状結合が形成されている。
【００４５】
しかし別の実施変更形では、結合エレメント５７は雇い実矧ぎ（Nut-Feder-Verbindung）の形式に従って、一方ではボード２と、他方では木製被覆体５５のボード５６と結合されていてもよい。すなわち、結合エレメント５７はいわゆる雇い実（Feder）によって形成され、木製被覆材５５は、摩擦力結合によってボード２に固定されている。
【００４６】
図１０は、図８に示されたパネルエレメント１の実施例を、別の実施変更形の木製被覆体５５を有する状態で示す図である。木製被覆体５５のボード５６は平行に互いに相並んで、木製ダボ５９又は木ねじの形態を成す結合エレメント５７によって、パネルエレメント１のそれぞれ外側の層３，１８と結合されている。木製ダボ５９又は木ねじを使用することによって、摩擦力結合が達成される。
【００４７】
図１１は、二層の木材被覆体５５を備えたパネルエレメント１を示している。ボード５６の第１層６０は木製ダボ５９によってパネルエレメント１のそれぞれ外側の層３，１８に固定されている。他方において、第１層６０のボード５６は、鳩尾形の切り欠き及び突起を有している。これらの切り欠き及び突起は木製被覆体５５の第２層６１のボード５６の対応する形状結合を可能にする。第１層６１のボード５６と第２層６１のボード５６との鳩尾形継手は、図１〜４に基づいて前述したような層３，４，１８のボード２間の鳩尾形継手と同様に形成されている。
【００４８】
図１２及び１３に基づいて、複数の層から組み立てられたビーム８０について説明する。ビーム８０はこの実施例によれば、３つのボードによって形成される。これらのボードは長手方向に平行に向けられて互いに接触し、そして互いに形状結合されている。このために、一方では第１ボード８１と第２ボード８２との間に、他方では第２ボード８２と第３ボード８３との間に、鳩尾形継手の形式の結合が形成されている。ボード８１，８２，８３はそれぞれ長手方向延在長さの方向に連続して、鳩尾形の切り欠き８４と突起８５とから成る列を有している。切り欠き８４及び突起８５はボード８１，８２，８３の幅８６の方向に延びている。
【００４９】
図１３は、ビーム８０のボード８１，８２，８３を、接合されていない状態で示している。図面から判るように、幅８６の方向で見た切り欠き８４もしくは突起８５の断面は幅８６全体にわたって可変である。しかも突起８５の断面は第１縁部８７から、対向する第２縁部８８へ向かって楔状に可変に形成されている。鳩尾形継手の突起８５は両側で、０．５°〜１０°、有利には３°〜１０°の値の半楔角だけ傾斜位置を有していることが好ましい。従って、一方では第１ボード８１の突起８５、他方では第２ボード８２の切り欠き８４は互いに相補的に形成されており、空間を埋めるように互いに接合することができる。ボード８１，８２，８３を結合してビーム８０にすることは、突起８５の側面もしくは切り欠き８４の側面の上記傾斜位置によって著しく容易になる。側面の傾斜位置に基づいて得られた、切り欠き８４及び突起８５の楔形状はさらに、接合時に相応に力を加えることによりある程度まで切り欠き８４と突起８５とを互いに押し嵌めることができ、こうしてボード８１，８２，８３の結合を形成する際に付加的に摩擦力結合の効果を達成することもできる。
【００５０】
しかし別の実施形態では、突起８５もしくは切り欠き８４の一方の側面だけに、側面の傾斜位置を設けることも可能である。別の実施変更形によれば、層から組み立てられた１つのビーム８０が２つのボード８１，８２だけから組み立てられていてもよく、或いは、３つ（８１，８２，８３）よりも多いボードによって形成されていてもよい。
【００５１】
これらの模範的実施態様は、パネルエレメント１の可能な実施変更形を示す。ここで念のため述べておくと、本発明は具体的に示された実施変更形に限定されることはなく、むしろ個々の実施変更形の種々の組み合わせも可能であり、そしてこのような変更は、この技術分野の当業者の能力範囲内で、技術的行為のための教示内容に基づいて可能である。つまり、上記実施変更形の個々の詳細を組み合わせることにより可能になる、考えられ得る全体的な実施変更形も、権利範囲に含まれる。
【００５２】
なお最後に形式的なことであるが、パネルエレメント１の構造をより良く理解するために、このエレメントもしくはその構成部分は部分的に一定の尺度でなく、且つ／又は拡大し、且つ／又は縮小して示した。
【００５３】
本発明の独立した解決手段の根底を成す課題は、明細書から明らかである。
【００５４】
とりわけ図１；２；３，４；５，６；７；８；９；１０；１１；１２及び１３に示された個々の実施態様は、本発明による独立した解決手段の対象を形成することができる。これに関する本発明による課題及び解決手段は、これらの図面の詳細な説明から明らかである。
【符号の説明】
【００５５】
１        パネルエレメント
２        ボード
３        層
４        層
５        長手方向軸線
６        ボード
７        長手方向軸線
８        ボード
９        オーバーラップ幅
１０      幅
１１      切り欠き
１２      突起
１３      縁部
１４      ボード中央
１５      半楔角
１６      ギャップ
１７      中央平面
１８      層
１９      厚さ
２０      溝
２１      溝
２２      間隔
２３      内法幅
２４      幅
２５      領域
２６      領域
２７      厚さ
２８      深さ
４１      ビーム
４２      厚さ
４３      幅
４４      切り欠き
４５      深さ
４６      側面
４７      ピン
４８      溝
４９      ビーム
５５      木製被覆体
５６      ボード
５７      結合エレメント
５８      溝
５９      木製ドエル
６０      層
６１      層
８０      ビーム
８１      ボード
８２      ボード
８３      ボード
８４      切り欠き
８５      突起
８６      幅
８７      ボード縁部
８８      ボード縁部
８９      楔角
【図１】
0006337106.tif 000002
【図２】
0006337106.tif 000003
【図３】
0006337106.tif 000004
【図４】
0006337106.tif 000005
【図５】
0006337106.tif 000006
【図６】
0006337106.tif 000007
【図７】
0006337106.tif 000008
【図８】
0006337106.tif 000009
【図９】
0006337106.tif 000010
【図１０】
0006337106.tif 000011
【図１１】
0006337106.tif 000012
【図１２】
0006337106.tif 000013
【図１３】
0006337106.tif 000014